(57)【要約】【課題】書き換え可能な情報記録媒体を対象とする情報信号記録装置において、記録媒体の領域を管理して消去可能な情報信号と消去不可の情報信号を区別して記録し、記録媒体を合理的且つ有効に利用する。【解決手段】ＤＶＤビデオレコーダにおいて、未記録のディスク（DVD-RW）１５がセットされるとデータ記録領域を所定の割合で自動上書き可能領域と自動上書き禁止領域とに分割する。録画予約時には、リモコンユニット１９から放送番組のジャンル別又は個別の放送番組毎に前記各領域の何れに記録するかを設定する。録画段階では、前記設定に基づいて記録するが、自動上書き可能領域に空き容量が無い時には同領域の記録日時が古い既記録番組から順に上書き消去し、自動上書き禁止領域に空き容量が無い時には記録を行わない。自動上書き禁止領域の消去したくない放送番組が勝手に消去されることはない。【選択図】図１
2005353166.tif 000002
【特許請求の範囲】
【請求項１】
書き換え可能な情報記録媒体を対象として情報信号の記録を行う情報信号記録装置において、
未記録状態の前記情報記録媒体がセットされた場合に、所定の割合で自動上書き可能領域と自動上書き禁止領域とに分割する記録領域分割手段と、
入力情報信号について、コンテンツ毎に、又はコンテンツのジャンル別若しくはコンテンツに含まれているタイトル若しくはキーワード別に、前記自動上書き可能領域又は前記自動上書き禁止領域のいずれに記録するかを設定する記録領域設定手段と、
前記記録領域設定手段が前記自動上書き可能領域への記録に設定した場合であって、前記自動上書き可能領域に空き領域がある時にはその空き領域に入力情報信号を記録させ、前記自動上書き可能領域に空き領域が無い時には既に記録された情報信号を記録日時の古い方から順に上書きする態様で入力情報信号を記録させる第１の記録制御手段と、
前記記録領域設定手段が前記自動上書き禁止領域への記録に設定した場合であって、前記自動上書き禁止領域に空き領域がある時にはその空き領域に入力情報信号を記録させ、前記自動上書き禁止領域に空き領域が無い時には入力情報信号の記録を行わないようにする第２の記録制御手段と
を具備したことを特徴とする情報信号記録装置。
【請求項２】
前記記録領域設定手段が前記自動上書き禁止領域に設定した場合に、その設定に係る入力情報信号を前記記録媒体に記録した時の占有容量を演算する演算手段と、
前記演算手段が求めた容量とその時点における前記自動上書き禁止領域の空き領域の容量とを比較する比較手段と、
前記比較手段によって前記演算手段が求めた容量が前記自動上書き禁止領域の空き領域の容量より大きい比較結果が得られた場合に、前記自動上書き禁止領域の容量を少なくとも比較差分だけ増大させるように、前記自動上書き可能領域と前記自動上書き禁止領域の割合を変更する変更手段と
を設けた請求項１に記載の情報信号記録装置。
【発明の詳細な説明】
【技術分野】
【０００１】
本発明は。書き換え可能な情報記録媒体を対象とする情報信号記録装置に係り、特にＤＶＤビデオレコーダ等に適用され、消去してもよい情報信号と消去したくない情報信号を区別して記録しながら、情報記録媒体の容量を可能な限り効率的に利用するための改良に関する。
【背景技術】
【０００２】
書き換え可能な情報記録媒体（磁気テープ，磁気ディスク，光ディスク等）に対する情報信号の記録において、空き領域が無くなった際に、既に情報信号が記録されている領域（既記録領域）に上書きして情報記録媒体を効率的に利用することが行われている。また、その上書き機能は情報信号の記録中に空き領域が無くなった際の緊急避難的な処理としても有効である。
【０００３】
しかし、既記録領域を区別することなく上書き処理が無制限になされると、消去したくない情報信号が失われてしまうことになるため、各情報信号を消去する場合の優先順位を如何に設定するかについて各種提案がなされている。
例えば、下記特許文献１では、情報信号の記録の際に記録領域に対応付けて付加情報（時刻情報と内容情報）を記録するようにし、時刻情報から得られる経過時間と内容情報から得られる保存期間に基づいて上書きの可／不可を設定する方式が提案されており、また下記特許文献２では保存期間だけから同様の設定を行う方式が開示されている。
【０００４】
より具体的には、テレビジョン放送番組を書き換え可能な情報記録媒体に記録する場合において、ニュース番組や天気予報等の即時的属性が強い番組は保存期間が短くても良いが、ドラマ番組や映画番組は長く保存する必要性が高いことが多く、記録媒体の空き領域が無くなった時には、前者の番組の情報信号が先に上書き対象となるように設定される。
【０００５】
【特許文献１】特開平１０−２２２９６３号公報
【特許文献２】特開平１０−２２８７５１号公報
【発明の開示】
【発明が解決しようとする課題】
【０００６】
ところで、前記特許文献１，２のように、情報記録媒体の空き領域が無くなった際に優先的に上書き対象となる情報信号を情報信号の属性に応じた保存期間に基づいて設定している場合、保存期間が短い情報信号の占める割合が大きい記録状態であれば、それらが順次書き換えられてゆくだけであまり問題は生じないが、逆に、保存期間が長い情報信号の占める割合が大きい記録状態ではその中で優先順位が相対的に決定されるため、消去したくない情報信号であっても自動的に上書きされてしまう可能性が高くなる。
即ち、上書き対象とすべき情報信号を属性に応じた保存期間等を基準にして設定することは一見合理的であるかのように思えるが、重要な情報信号が消失して取り返しのつかない事態を招く可能性があり、その点において前記特許文献１，２の提案は課題を残している。
一方、情報管理の面から見ると、消去してもよい情報信号と消去したくない情報信号とは比較的明確である場合が多い。
【０００７】
そこで、本発明は、前記問題点に鑑みて、消去したくない情報信号は上書き消去されないようにすると共に、情報記録媒体の記録領域を効率的に利用しながら情報記録信号を記録してゆくことが可能な情報信号記録装置を提供することを目的として創作された。
【課題を解決するための手段】
【０００８】
本発明は、書き換え可能な情報記録媒体を対象として情報信号の記録を行う情報信号記録装置において、未記録状態の前記情報記録媒体がセットされた場合に、所定の割合で自動上書き可能領域と自動上書き禁止領域とに分割する記録領域分割手段と、入力情報信号について、コンテンツ毎に、又はコンテンツのジャンル別若しくはコンテンツに含まれているタイトル若しくはキーワード別に、前記自動上書き可能領域又は前記自動上書き禁止領域のいずれに記録するかを設定する記録領域設定手段と、前記記録領域設定手段が前記自動上書き可能領域への記録に設定した場合であって、前記自動上書き可能領域に空き領域がある時にはその空き領域に入力情報信号を記録させ、前記自動上書き可能領域に空き領域が無い時には既に記録された情報信号を記録日時の古い方から順に上書きする態様で入力情報信号を記録させる第１の記録制御手段と、前記記録領域設定手段が前記自動上書き禁止領域への記録に設定した場合であって、前記自動上書き禁止領域に空き領域がある時にはその空き領域に入力情報信号を記録させ、前記自動上書き禁止領域に空き領域が無い時には入力情報信号の記録を行わないようにする第２の記録制御手段とを具備したことを特徴とする情報信号記録装置に係る。
【０００９】
本発明では、書き換え可能な情報記録媒体の記録領域を予め所定の割合で自動上書き可能領域と自動上書き禁止領域に分割しておき、入力情報信号について、コンテンツ毎に、又はコンテンツのジャンル別若しくはコンテンツに含まれているタイトル若しくはキーワード別に、いずれかの領域に振り分けて記録するかを設定する。
ここで、一般的には、記録領域設定手段によって自動上書き可能領域に記録するように設定される入力情報信号は消去されても支障のないものであり、自動上書き禁止領域に記録するように設定される入力情報信号は消去したくないものである。
この発明において、第１及び第２の記録制御手段は、それぞれの入力情報信号の記録先として設定された領域を超えて他の領域に記録することは行わず、また、第２の記録制御手段は、自動上書き禁止領域に記録するように設定された情報信号について、その領域に空きが無い時には入力情報信号の記録を行わないようにするため、自動上書き禁止領域に記録されている消去したくない情報信号が上書き消去されることはない。
一方、第１の記録制御手段は、自動上書き可能領域に記録するように設定された情報信号について、その領域に空きが無い時にその領域内で上書き記録を行うことになるために既記録の情報信号が消去される。
但し、その場合にも、記録日時の古い方から順に上書き消去するようにしているため、消去されてもよい情報信号の中でも新しく記録されたものは可能な限り残るように配慮されている。
【００１０】
ところで、本発明では、記録領域分割手段が最初に自動上書き可能領域と自動上書き禁止領域とを所定の割合に分割しており、その割合が以降の記録処理においても固定されている。
自動上書き禁止領域に記録するように設定された情報信号は前記のように比較的重要と考えられるものであるが、その情報信号のデータ量が大きいために自動上書き禁止領域に余裕がない時にはその情報信号を記録できないようなことが多くなり、情報記録媒体を有効に利用できない。
この問題については、前記発明の情報信号記録装置において、前記記録領域設定手段が前記自動上書き禁止領域に設定した場合に、その設定に係る情報信号を前記記録媒体に記録した時の占有容量を演算する演算手段と、前記演算手段が求めた容量とその時点における前記自動上書き禁止領域の空き領域の容量とを比較する比較手段と、前記比較手段によって前記演算手段が求めた容量が前記自動上書き禁止領域の空き領域の容量より大きい比較結果が得られた場合に、前記自動上書き禁止領域の容量を少なくとも比較差分だけ増大させるように、前記自動上書き可能領域と前記自動上書き禁止領域の割合を変更する変更手段とを設けることにより解消できる。
即ち、自動上書き可能領域と自動上書き禁止領域の割合を固定せずに弾力的に変化させることで、情報記録媒体をより有効に利用できる。
【発明の効果】
【００１１】
書き換え可能な情報記録媒体への情報信号の記録において、空き領域が無くなった際に既記録領域に上書きすることが行われているが、本発明の情報信号記録装置によれば、情報記録媒体の記録領域を管理して、消去したくない情報信号が上書き消去されないようにできると共に、消去してもよい情報信号は記録日時が古い順に上書きされるようにして情報記録媒体の効率的な利用が実現できる。
また、消去したくない情報信号は一般的に比較的重要度が高いものであるが、最初に設定されている自動上書き可能領域と自動上書き禁止領域の割合を弾力的に変化させて、その情報信号の記録が不能になることを回避させる。
【発明を実施するための最良の形態】
【００１２】
以下、本発明の情報信号記録装置の実施例を図面に基づいて詳細に説明する。
各実施例ではＤＶＤ-ＲＷを記録媒体として映像音声信号の記録再生を行うＤＶＤビデオレコーダを例にとって説明する。
【実施例１】
【００１３】
先ず、この実施例に係るＤＶＤビデオレコーダのブロック回路図は図１に示される。
同図において、チューナ（図示せず）で受信されたＴＶ放送信号は入力信号処理部１１へ入力され、最適な信号レベルに調整されて映像音声信号処理部１２へ出力される。
映像音声信号処理部１２では入力された信号を記録に適した信号に変換する。具体的には、輝度信号と色信号への分離、音声信号の記録方式に対応した変換、フィルタでの帯域制限、アナログ／ディジタル変換、タイミング生成のための同期信号の分離、記録信号の情報量圧縮等の各種処理を施し、その処理後の信号を記録再生信号処理部１３へ出力する。
記録再生信号処理部１３では、ＤＶＤ-ＲＷの記録方式に対応した記録単位（フレーム，ブロック等）の生成、付加情報の混合、誤り訂正符号のパリティの生成等の処理を行って記録信号を作成し、その記録信号が記録再生処理部１４でＤＶＤ-ＲＷへの記録に適した信号に変換処理されてＤＶＤ-ＲＷ１５に記録される。
一方、映像音声信号処理部１２による処理信号は出力信号処理部１６を介してモニタ１６へも出力されており、ＤＶＤ-ＲＷ１５への記録を実行しながらモニタ１７から映像音声出力がなされる。
そして、このＤＶＤビデオレコーダにおける以上の記録に関連した処理はシステムコントローラ１８による制御の下に実行される。
また、このＤＶＤビデオレコーダでは、外部のリモコンユニット１９から送信される変調赤外線信号をリモコン受光ユニット２０で受信してデコードし、システムコントローラ１８がそのデコードされた指示コマンドに基づいて各種モードや動作条件の設定を行うようになっている。
【００１４】
更に、このＤＶＤビデオレコーダには番組情報信号処理部２１とＯＳＤ（On Screen Display:画面表示）生成処理部２２が設けられている。
番組情報信号処理部２１は、リモコンユニット１９からの指示入力に基づいてシステムコントローラ１８によって作動せしめられ、チューナ（図示せず）で受信されたＴＶ放送信号に含まれているＥＰＧ(Electric Program Guide：電子番組表)データを抽出・処理してシステムコントローラ１８へ出力し、システムコントローラ１８はそれをＯＳＤ生成処理部２２へ転送する。
ＯＳＤ生成処理部２２では転送されたＥＰＧデータを表示出力用の信号に変換して出力信号処理部１６へ出力し、出力信号処理部１６がＥＰＧをモニタ１７に表示させる。
従って、ユーザはモニタ１７のＥＰＧを見ながらリモコンユニット１９を操作して録画予約等を簡単に行うことができる。
【００１５】
尚、上記では記録モードにおいてＴＶ放送信号をＤＶＤ-ＲＷ１５に記録する際の動作について説明しているが、再生モードでは、記録再生部１４がＤＶＤ-ＲＷ１５から既記録の映像音声信号を読み出し、記録再生信号処理部１３が記録モードの場合と逆の処理（誤り訂正処理や記録単位の分解等）を施して映像音声信号処理部１２へ出力させ、出力信号処理部１６で処理してモニタ１７で再生出力させることになる。
【００１６】
この実施例のＤＶＤビデオレコーダの特徴は、未記録状態のＤＶＤ-ＲＷ１５がセットされた際に予めその記録領域を分割しておき、記録後に自動消去されてもよい放送番組と自動消去されたくない放送番組とに分けて記録し、長く保存したい放送番組が消去されないようにしながら、ＤＶＤ-ＲＷ１５を効率的に利用する点にある。
以下、図２から図４のフローチャートを参照しながら、前記ＤＶＤビデオレコーダによる記録モードに関連した動作について説明する。
【００１７】
図２はＤＶＤ-ＲＷ１５の記録領域を分割する際の手順を示す。
先ず、ＤＶＤビデオフォーマットによる光ディスクの論理フォーマットでは、最内側からリードイン(Lead in)／データゾーン(Data Zone)／リードアウト(Lead out)に区切られ、その内のデータゾーンは、リードイン側から順にＵＤＦ(Universal Disk Format)領域／ＶＭＧ(Video Manager)領域／リアルタイムデータ記録領域に区分されている。ここで、ＵＤＦ領域はＵＤＦブリッジ構成が記述されたファイルシステム領域であり、ＶＭＧ領域は管理情報記録領域である。
この実施例において、ＤＶＤビデオレコーダにＤＶＤ-ＲＷ１５がセットされると、システムコントローラ１８は記録再生部１４で前記ＶＭＧ領域を読み取らせてＤＶＤ-ＲＷ１５の記録状態の確認を行う（S1,S2）。
そして、未記録のディスクであった場合には、リアルタイムデータ記録領域を自動上書き可能領域と自動上書き禁止領域に分割する（S3）。
この分割のデフォル設定では自動上書き可能領域と自動上書き禁止領域の割合が１：１とされており、その割合と各領域を示すアドレス情報とがＤＶＤ-ＲＷ１５のＶＭＧ領域に記録される。
【００１８】
前記設定が完了すると、システムコントローラ１８はＯＳＤ生成処理部２２によって領域分割に係るユーザ設定画面を出力させ、その画面をモニタ１７に表示させることにより前記デフォルト設定の割合を変更する必要があるか否かをユーザに問う（S4）。
ユーザは設定された領域の割合を変更したい場合には、リモコンユニット１９を操作して所望の割合を指示することができ、その指示信号を受けたシステムコントローラ１８は記録再生部１４を作動させてＤＶＤ-ＲＷ１５のＶＭＧ領域の情報を書き換えてモニタ１７上に反映させ、設定操作がなされると自動上書き可能領域と自動上書き禁止領域がその変更後の状態で設定される（S5）。
【００１９】
次に、図３は、ＥＰＧを用いて録画予約を行う場合に、その予約に係る番組を自動上書き可能領域と自動上書き禁止領域のいずれに記録させるかを設定する際の手順を示す。但し、（Ａ）は番組のジャンル別に設定する時の手順であり、（Ｂ）は個別番組毎に設定する時の手順である。
（Ａ）及び（Ｂ）のいずれの手順においても、ユーザがリモコンユニット１９からＥＰＧの表示要求を行うと、リモコン受光ユニット２０からその指示信号の受信を検知したシステムコントローラ１８が番組情報信号処理部２１でＥＰＧデータを取得させる（S11,S12／S21,S22）。また、システムコントローラ１８はＥＰＧデータをＯＳＤ生成処理部２２へ転送し、ＯＳＤ生成処理部２２で表示用信号に変換した後、出力信号処理部１６を介してモニタ１７でＥＰＧを表示させる（S12／S22）。
【００２０】
ＥＰＧをモニタ１７に表示させた状態で、ユーザはリモコンユニット１９からＥＰＧ上の各番組をＤＶＤ-ＲＷ１５の自動上書き可能領域と自動上書き禁止領域のいずれに記録するかを設定する（S13／S23）。
但し、前記のように、番組のジャンル別に設定する方式（Ａ）と、個別番組毎に設定する方式（Ｂ）とがあり、（Ａ）ではリモコンユニット１９を操作してジャンルの選択と記録先領域の設定を行い、（Ｂ）では個別番組タイトルの選択と記録先領域の設定を行う。
ここで、ジャンルとはＥＰＧにおいて視聴したい番組を絞る際に用いられる概念であり、例えば、ニュース・報道番組や映画番組等のようにコンテンツのジャンルによって包括的に分けることができる。
従って、ニュース・報道番組等の一過性の傾向が強い番組については、記録後に消去しても支障のない場合が多いために自動上書き可能領域へ記録するように設定し、映画番組やドラマ番組のように後で再視聴することが多い番組については、意図的に消去する場合を除いて一般的には消去されたくないことが多いために自動上書き禁止領域に設定することができる。また、このようにコンテンツのジャンル毎に予め記録領域を指定しておくことにより、個別の番組記録時に記録領域を指定しなければならないといった操作上の煩雑さを解消できる。
更に、コンテンツのジャンル毎に予め記録領域を指定するのではなく、タイトルやキーワードを含むコンテンツに対して記録領域を指定できるようにすることで、ユーザの趣向に合ったコンテンツのみを自動上書き禁止領域に記録することが可能になる。
一方、（Ｂ）のように個別番組毎に設定できるようにしておけば、その時々に応じた保存の必要性等を考慮した自由度の高い設定を行うことができる。
そして、ＥＰＧを用いた前記設定が完了した段階で、選択した各番組についてリモコンユニット１９から録画予約を行うと、システムコントローラ１８は各設定データと予約データを内蔵メモリにセーブして録画待機モードへ移行する（S14／S24）。
【００２１】
次に、図４は録画予約がなされた番組をＤＶＤ-ＲＷ１５に記録する場合の手順を示すフローチャートである。
先ず、システムコントローラ１８は、録画予約を行った番組Ｐ(i)に係る予約時刻が到来すると、予めセーブさせてある設定データに基づいて、その番組Ｐ(i)をＤＶＤ-ＲＷ１５の自動上書き可能領域と自動上書き禁止領域のいずれに記録するかを判断する（S31,S32）。
ここで、番組Ｐ(i)が自動上書き可能領域に記録するように設定されていたとすると、システムコントローラ１８は記録再生部１４によってＤＶＤ-ＲＷ１５のＶＭＧ領域を読み取らせ、自動上書き可能領域に後述のアドレス情報と記録日時情報が記録されていない空き領域があるかを確認する（S33）。
【００２２】
そして、空き領域が存在した場合には、その空き領域に放送番組の情報信号を記録することになるが、記録した領域のアドレス情報と記録日時情報を対応させてＶＭＧ領域に記録しておく（S34）。
一方、前回の予約録画によって自動上書き可能領域に空き領域が無くなっている場合、又は前記ステップS34での記録が継続して空き領域が無くなった場合には、ＶＭＧ領域から各記録日時情報を確認し、より古い記録日時情報に対応したアドレス情報で示される記録領域から順に放送番組の情報信号を上書き記録してゆく（S35）。
このようにして、自動上書き可能領域に記録するように設定されていた場合には、番組Ｐ(i)の録画が終了するまで空き領域の有無を確認しながらステップS34又はステップS35での記録動作を実行する（S36→S33→S34,S35）。
【００２３】
一方、前記ステップS32で番組Ｐ(i)が自動上書き禁止領域に記録するように設定されていた場合においても、前記と同様に、システムコントローラ１８は記録再生部１４によってＤＶＤ-ＲＷ１５のＶＭＧ領域を読み取らせ、自動上書き禁止領域にアドレス情報と記録日時情報が記録されていない空き領域があるか否かを確認する（S32→S37）。
そして、空き領域が存在した時には、その空き領域に放送番組の情報信号を記録すると共に、記録した領域のアドレス情報と記録日時情報とを対応させてＶＭＧ領域に記録し、番組Ｐ(i)の録画が終了するまで空き領域の有無を確認しながら記録動作を実行する（S38,S39）。
しかし、自動上書き禁止領域に空き領域が存在しない時には記録を行わず、その事実をモニタ１７に表示させる（S40）。
【００２４】
従って、この実施例のＤＶＤビデオレコーダによれば、自動上書き禁止領域には、その領域に記録するように設定された放送番組がその領域に空き容量がある限り記録され、その放送番組は勝手に消去されることはない。
一方、自動上書き可能領域にもその領域に記録するように設定された放送番組が記録されるが、その領域に空き容量が無くなると記録日時の古いものから順に上書き消去するようになっており、比較的新しい時期に記録された放送番組を残しながら領域を有効に利用するという合理的管理が可能になっている。
【実施例２】
【００２５】
前記実施例１のＤＶＤビデオレコーダにおいては、図２で説明したように、ＤＶＤ-ＲＷ１５のリアルタイムデータ記録領域を所定の割合で分割しており、以降の録画予約や放送番組の録画の手順はその割合を固定したまま実行される。
その場合、自動上書き禁止領域に記録するように設定される映画番組やドラマ番組はその放送時間が長く、既にその領域に幾つかの放送番組が記録されているような場合には、自動上書き禁止領域に今回記録しようとする放送番組全体を記録するだけの容量が確保できないようなことが生じる。
即ち、自動上書き禁止領域の容量を少し大きくすれば今回記録しようとする放送番組全体を記録できるにも拘わらず、新しいＤＶＤ-ＲＷを用意しなければならならず、ディスクを有効に利用できないことになる。
そこで、この実施例では、録画予約の段階で前記のような自動上書き禁止領域の容量不足が生じた場合に、自動上書き可能領域と自動上書き禁止領域の割合を変更して前記問題点を解消するようにする。
【００２６】
以下、その手順を図５のフローチャートを参照しながら説明する。
先ず、図３の（Ａ）と（Ｂ）の手順によって録画予約がなされると、システムコントローラ１８は、その録画予約において自動上書き禁止領域に記録するように設定された各番組の放送時間と設定記録条件とからＤＶＤ-ＲＷ１５上での記録容量（Ｐc）を演算する（S51）。
次に、システムコントローラ１８は、記録再生部１４によってＤＶＤ-ＲＷ１５のＶＭＧ領域を読み取らせ、その時点におけるＤＶＤ-ＲＷ１５の自動上書き禁止領域の空き容量（Ｄc）を確認する（S52）。
【００２７】
そして、システムコントローラ１８は前記ステップS51,S52で求めた各容量Ｐc，Ｄcを比較し、Ｐc≦Ｄcの場合にはそのまま録画待機モードとするが、Ｐc＞Ｄcの場合にはＰc≦Ｄcの条件を満たすように自動上書き可能領域と自動上書き禁止領域の割合を変更し、ＤＶＤ-ＲＷ１５のＶＭＧ領域の管理情報がその変更後の割合と各領域を示すアドレス情報に書き換えられる（S53,S54）。
この場合、自動上書き可能領域の一部が自動上書き禁止領域になり、自動上書き可能領域に記録されている放送番組が消去されてしまう可能性があるが、基本的にそれらの放送番組は消去されても支障のないものであり、消去されても問題になる可能性は小さい。
尚、自動上書き可能領域の既記録の放送番組が消去される場合には、システムコントローラ１８がＶＭＧ領域の管理情報からそれを確認し、予め警告メッセージをモニタ１７に表示させてユーザに通知するようにしてもよい。
【産業上の利用可能性】
【００２８】
本発明は、ＤＶＤビデオレコーダ等の書き換え可能な記録媒体を用いる情報信号記録装置に適用できる。
【図面の簡単な説明】
【００２９】
【図１】本発明の情報信号記録装置の実施例に係るＤＶＤビデオレコーダのブロック回路図である。
【図２】ＤＶＤ-ＲＷの記録領域を分割する際の手順を示すフローチャートである。
【図３】ＥＰＧを用いて録画予約を行う場合に、その予約に係る番組をＤＶＤ-ＲＷの自動上書き可能領域と自動上書き禁止領域のいずれに記録させるかを設定する際の手順を示すフローチャートである。［（Ａ）は番組のジャンル別に設定する場合、（Ｂ）は個別の番組毎に設定する場合］
【図４】録画予約がなされた番組をＤＶＤ-ＲＷに記録する場合の手順を示すフローチャートである。
【図５】実施例２に係る改良手順であって、録画予約の段階で自動上書き禁止領域の容量不足が生じた場合に、自動上書き可能領域と自動上書き禁止領域の割合を変更する際の手順を示すフローチャートである。
【符号の説明】
【００３０】
１１…入力信号処理部、１２…映像音声信号処理部、１３…記録再生信号処理部、１４…記録再生部、１５…ＤＶＤ-ＲＷ、１６…出力信号処理部、１７…モニタ、１８…システムコントローラ、１９…リモコンユニット、２０…リモコン受光ユニット、２１…番組情報信号処理部、２２…ＯＳＤ生成処理部。
【図１】
2005353166.tif 000003
【図２】
2005353166.tif 000004
【図３】
2005353166.tif 000005
【図４】
2005353166.tif 000006
【図５】
2005353166.tif 000007